(57)【要約】【課題】糊塗布後のシートの積載状態で待機されても、加圧前に糊が乾燥する等の問題の発生を回避できるようにした製本装置を提供する。【解決手段】角部糊付け製本機５００では、糊付け装置５２０による糊付け処理、及びローラ対５０１〜５０４による成果物積載部５４０への積載処理の進行中に作動中断事象が発生した場合、糊付け処理及び積載処理を作動中断事象が解消されるまで一旦停止する。そして、糊付け処理及び積載処理が一旦停止された場合、成果物積載部５４０に積載された糊付け済み記録紙束Ｂに対する加圧装置５３０の加圧処理を実行させる。このため、待機中に加圧されないまま放置されて糊が乾燥することがなく、製本後の記録紙束の接着力の信頼性が向上する。【選択図】図５
2008087314.tif 000002
【特許請求の範囲】
【請求項１】
製本対象である複数のシートを順次搬送する搬送手段と、前記搬送手段により搬送されたシートを順次積載する積載手段と、前記積載手段に搬送される各シートに糊付け処理する糊付け手段と、前記積載手段に積載されたシートを加圧して製本する加圧手段と、を備える製本装置において、
前記糊付け手段による糊付け処理、及び前記搬送手段による前記積載手段への積載処理の進行中に作動中断事象が発生したと判定した場合、前記糊付け処理及び前記積載処理を前記作動中断事象が解消されるまで一旦停止すると共に、前記積載手段に積載された糊付け済みシートに対する前記加圧手段の加圧処理を実行させる制御手段を備える、
ことを特徴とする製本装置。
【請求項２】
画像形成装置に接続され、前記画像形成装置から排出されたシートを糊付け製本してなる、
請求項１記載の製本装置。
【発明の詳細な説明】
【技術分野】
【０００１】
本発明は、画像形成装置などに接続され、排出されたシートに対して糊付け処理して製本化する製本装置に関する。
【背景技術】
【０００２】
従来、画像形成装置により画像が記録されたシート（記録紙）の所定位置に、製本装置により糊付け処理して製本化するシート後処理装置、例えば製本装置が案出されている（特許文献１参照）。
【０００３】
上記特許文献１には、複写機から搬送されてきた複数のシートに１枚ずつ糊付けしつつ積載部に順次積載して整合し、積載した各シートの糊付け部分を加圧してシート束を作成する製本装置が開示されている。
【０００４】
【特許文献１】特公平２−４２０７９号公報
【発明の開示】
【発明が解決しようとする課題】
【０００５】
特許文献１に記載の製本装置では、積載部に積載した複数のシートの糊付け部分を加圧バー組立体で加圧する際、最も上部に位置するシートをホルダで押さえつつ、加圧バーで加圧している。このような製本装置にあって、糊塗布後のシートが積載部に積載された状態で、例えばシート切れや糊切れ、紙詰まり等の作動中断すべき事象が発生した場合には、製本処理を一旦停止させる待機モードに移行させることが考えられる。
【０００６】
しかし、上記のように、紙詰まり等の作動中断事象の発生時に待機モードに移行させるようにすると、積載部に積載されているシートに塗布された糊が加圧前に乾燥してしまう。このため、その後加圧されても、シートの接着力が低下し、適正な製本化が損なわれる等の問題を生じるおそれがある。
【０００７】
本発明は、上述事情に鑑みてなされたもので、糊塗布後のシートの積載状態で待機される場合であっても、加圧前に糊が乾燥して加圧時にシートの接着力が低下する等の問題の発生を回避し得るように構成した製本装置を提供することを目的としている。
【課題を解決するための手段】
【０００８】
本発明は、製本対象である複数のシートを順次搬送する搬送手段と、前記搬送手段により搬送されたシートを順次積載する積載手段と、前記積載手段に搬送される各シートに糊付け処理する糊付け手段と、前記積載手段に積載されたシートを加圧して製本する加圧手段と、を備える製本装置において、前記糊付け手段による糊付け処理、及び前記搬送手段による前記積載手段への積載処理の進行中に作動中断事象が発生したと判定した場合、前記糊付け処理及び前記積載処理を前記作動中断事象が解消されるまで一旦停止すると共に、前記積載手段に積載された糊付け済みシートに対する前記加圧手段の加圧処理を実行させる制御手段を備えることを特徴としている。
【０００９】
なお、本発明における「糊」は、本来の糊に限らず、化学的に製造した糊や接着剤などをも含む広い概念である。
【発明の効果】
【００１０】
本発明によれば、糊塗布後のシートが積載手段に積載された状態で待機状態に移行した場合であっても、その都度加圧を行うので、待機中に加圧されないまま放置されて糊が乾燥することがない。このため、接着力が常に安定し、製本後のシート束の接着力の信頼性が向上する。
【発明を実施するための最良の形態】
【００１１】
以下、本発明に係る実施の形態について、図面を参照して詳細に説明する。
【００１２】
図１は、本実施形態に係る製本装置である角部糊付け製本機５００が接続された画像形成装置の主要部の縦断面構造を示す全体構成図である。この画像形成装置は、図１に示すように、画像形成装置本体１０と、角部糊付け製本機５００とを備えている。画像形成装置本体１０は、原稿から画像を読み取るイメージリーダ２００と、読み取った画像を記録紙（シート）上に形成するプリンタ３００と、操作表示装置６００とを備えている。
【００１３】
各部の構成を詳述すると、画像形成装置本体１０に備えたイメージリーダ２００には、原稿給送装置１００が搭載されている。この原稿給送装置１００は、原稿トレイ上に上向きにセットされた原稿を先頭頁から順に１枚ずつ図１左方向へ給紙し、湾曲したパスを介してプラテンガラス１０２上を左から流し、読み取り位置を経て右へ搬送する。その後、外部の排紙トレイ１１２に向けて排出する。この原稿がプラテンガラス１０２上の流し読み取り位置を左から右へ向けて通過するときに、原稿画像が流し読み取り位置に対応する位置に保持されたスキャナユニット１０４により読み取られる。
【００１４】
この読み取り方法は、一般的に、原稿流し読みと呼ばれる方法である。具体的には、原稿が流し読み取り位置を通過する際に、原稿の読取面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【００１５】
このように、流し読み取り位置を左から右へ通過するように原稿を搬送することによって、原稿の搬送方向に対して直交する方向を主走査方向とし、搬送方向を副走査方向とする原稿読み取り走査が行われる。即ち、原稿が流し読み取り位置を通過する際に、主走査方向に原稿画像を１ライン毎にイメージセンサ１０９で読み取りながら、原稿を副走査方向に搬送することによって原稿画像全体の読み取りを行う。光学的に読み取られた画像は、イメージセンサ１０９によって画像データに変換されて出力される。イメージセンサ１０９から出力された画像データは、プリンタ３００の露光制御部１１０にビデオ信号として入力される。
【００１６】
なお、原稿給送装置１００により原稿をプラテンガラス１０２上に搬送して所定位置に停止させ、この状態でスキャナユニット１０４を左から右へ走査させることにより原稿を読み取ることも可能である。この読み取り方法は、いわゆる原稿固定読みと呼ばれる方法である。
【００１７】
原稿給送装置１００を使用しないで原稿を読み取るときには、まず、ユーザにより原稿給送装置１００を持ち上げてプラテンガラス１０２上に原稿を載置し、そして、スキャナユニット１０４を左から右へ走査させることにより原稿の読み取りを行う。即ち、原稿給送装置１００を使用しないで原稿を読み取るときには、原稿固定読みが行われる。
【００１８】
プリンタ３００の露光制御部１１０は、イメージリーダ２００から入力されたビデオ信号に基づきレーザ光を変調して出力する。このレーザ光は、ポリゴンミラー１１０ａにより走査されながら感光ドラム１１１上に照射される。感光ドラム１１１には、走査されたレーザ光に応じた静電潜像が形成される。ここで、露光制御部１１０は、原稿固定読み時には、正しい画像（鏡像でない画像）が形成されるようにレーザ光を出力する。この感光ドラム１１１上の静電潜像は、現像器１１３から供給される現像剤によって現像剤像として可視像化される。
【００１９】
一方、プリンタ３００内に装備されている上カセット１１４或いは下カセット１１５からピックアップローラ１２７、１２８により給紙された記録紙は、給紙ローラ１２９、１３０によりレジストローラ１２６まで搬送される。記録紙の先端がレジストローラ１２６まで達したところで、レジストローラ１２６を任意のタイミングで駆動し、且つ、レーザ光の照射開始と同期したタイミングで、記録紙が感光ドラム１１１と転写部１１６との間に搬送される。
【００２０】
感光ドラム１１１に形成された現像剤像は、給紙された記録紙上に転写部１１６により転写される。現像剤像が転写された記録紙は、定着部１１７に搬送され、定着部１１７は、記録紙を加熱及び加圧することによって現像剤像を記録紙上に定着させる。定着部１１７を通過した記録紙は、フラッパ１２１及び排出ローラ１１８を経てプリンタ３００から画像形成装置本体外部（つまり、角部糊付け製本機５００）に向けて排出される。
【００２１】
記録紙の両面に画像形成を行う両面記録が設定されている場合には、フラッパ１２１の切替動作により記録紙を反転パス１２２に導いた後に両面搬送パス１２４へ搬送する。そして、両面搬送パス１２４へ導かれた記録紙を、上述したタイミングで感光ドラム１１１と転写部１１６との間に再度給紙する制御が行われる。
【００２２】
そして、画像形成装置本体１０のプリンタ３００から排出された記録紙は、角部糊付け製本機５００に送られる。
【００２３】
（全体システムブロック図）
次に、本画像形成システム全体の制御を司るコントローラの構成及び全体システムブロック図について図２を参照して説明する。図２は、図１の画像形成システム全体の制御を司るコントローラの構成を示すブロック図である。
【００２４】
図２に示すように、画像形成装置本体１０に備えられたコントローラは、ＣＰＵ回路部１５０を有している。ＣＰＵ回路部１５０は、ＣＰＵ（図示せず）、ＲＯＭ１５１、ＲＡＭ１５２を内蔵しており、ＲＯＭ１５１に格納されている制御プログラムにより符号１０１，２０１，２０２，２０９，３０４，６０１，５１７で示す各ブロックを総括的に制御する。ＲＡＭ１５２は、制御データを一時的に保持し、また制御に伴う演算処理の作業領域として用いられる。
【００２５】
そして、ＣＰＵ回路部１５０は、シート切れやトナー切れ等のような画像形成装置本体１０側での作動中断事象の発生を、製本動作を中断する信号として角部糊付け製本機５００のＣＰＵ回路部５１０に送信する。また、ＣＰＵ回路部１５０は、作動中断事象の発生により画像形成プロセスを停止する旨の信号をＣＰＵ回路部５１０から受信した場合、画像形成プロセスに係る各部の作動を、作動中断を解除する信号を受信するまで中断する。
【００２６】
なお、上記作動中断事象は、画像形成装置本体１０側でのシート切れやトナー切れ、画像調整、定着調温、或いは、角部糊付け製本機５００側での糊切れ、これら装置本体１０及び製本機５００での紙詰まりなどの事象を意味している。
【００２７】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９などに対する駆動制御を行い、イメージセンサ１０９から出力されたアナログ画像信号を画像信号制御部２０２に転送する。
【００２８】
画像信号制御部２０２は、イメージセンサ１０９からのアナログ画像信号をデジタル信号に変換した後に各処理を施し、このデジタル信号をビデオ信号に変換してプリンタ制御部３０４に出力する。また、画像信号制御部２０２は、コンピュータから外部Ｉ／Ｆ２０９を介して入力されたデジタル画像信号に各種処理を施し、このデジタル画像信号をビデオ信号に変換してプリンタ制御部３０４に出力する。この画像信号制御部２０２による処理動作は、ＣＰＵ回路部１５０により制御される。プリンタ制御部３０４は、入力されたビデオ信号に基づき上述の露光制御部１１０を駆動する。
【００２９】
製本装置制御部５１７は、ＣＰＵ回路部１５０からの信号に基づき、後述する角部糊付け製本機５００を構成する、糊付け手段である糊付け装置５２０、加圧手段である加圧装置５３０等の各部の制御を総括的に行う。
【００３０】
操作表示装置制御部６０１は、操作表示装置６００とＣＰＵ回路部１５０との間で情報の授受を行う。操作表示装置６００は、画像形成に関する各種機能を設定する複数のキー、設定状態を示す情報を表示するための表示部などを有している。更に、操作表示装置６００は、各キーの操作に対応するキー信号をＣＰＵ回路部１５０に出力するとともに、ＣＰＵ回路部１５０からの信号に基づき対応する情報を表示部に表示する。
【００３１】
（操作表示部の構成）
図３は、図１の画像形成装置における操作表示装置６００を示す図である。図３に示すように、操作表示装置６００には、以下の部材が配置されている。即ち、画像形成動作を開始するためのスタートキー６０２、画像形成動作を中断するためのストップキー６０３、置数設定等を行うテンキー６０４〜６１２および６１４、ＩＤキー６１３、クリアキー６１５、リセットキー６１６などが配置される。また、上部にタッチパネルが形成された液晶表示部６２０が配置されており、画面上にソフトキーを作成可能となっている。
【００３２】
例えば、本実施系における本画像形成装置では、後処理モードとして、通常モード、製本モードなどの各処理モードを有する。このような処理モードを設定する場合は、操作表示装置６００からの入力操作により行われる。
【００３３】
（角部糊付け製本機の制御）
次に、角部糊付け製本機５００を駆動制御する製本装置制御部５１７の構成について図４を参照しながら説明する。図４は、図２の製本装置制御部５１７の構成を示すブロック図である。
【００３４】
製本装置制御部５１７は、図４に示すように、ＣＰＵ５１１、ＲＯＭ５１２、ＲＡＭ５１３などで構成されるＣＰＵ回路部５１０を有する。ＣＰＵ回路部５１０は、通信ＩＣ５１４を介して、画像形成装置本体１０側に設けられたＣＰＵ回路部１５０と通信してデータ交換を行う。更にＣＰＵ回路部５１０は、ＣＰＵ回路部１５０からの指示に基づき、ＲＯＭ５１２に格納されている各種プログラムを実行して角部糊付け製本機５００の駆動制御を行う。
【００３５】
製本装置制御部５１７のＣＰＵ回路部５１０は、画像形成装置本体１０或いは角部糊付け製本機５００において、作動中断事象の発生により待機モードに入ったか否かを判定する。そして、待機モードに入ったと判定した場合には、以下に示す制御を行う。
【００３６】
制御手段としてのＣＰＵ回路部５１０は、シート切れやトナー切れ等のような画像形成装置本体１０側での作動中断事象の発生を、この装置本体１０のＣＰＵ回路部１５０から送信される製本動作を中断する信号の受信によって判断する。またＣＰＵ回路部５１０は、糊切れ等のような角部糊付け製本機５００側での作動中断事象の発生を、製本機各部に配置されたセンサ類の信号に基づいて判断する。ＣＰＵ回路部５１０は、作動中断事象の発生と判定すると、画像形成プロセスを停止する旨の信号を画像形成装置本体１０のＣＰＵ回路部１５０に送信し、作動中断事象が解消されたと判定すると、作動中断を解除する信号をＣＰＵ回路部１５０に送信する。
【００３７】
すなわち、ＣＰＵ回路部５１０は、画像形成装置本体１０での画像形成処理、糊付け装置５２０による糊付け処理、及びローラ対５０１〜５０４による成果物積載部５４０への積載処理の進行中に作動中断事象が発生したか否かを判定する。そして、ＣＰＵ回路部５１０は、作動中断事象が発生した（即ち、待機モードに入った）と判定した際、画像形成処理（プロセス）、糊付け処理（プロセス）、及び積載処理（プロセス）を、作動中断事象が解消されるまで一旦停止する。またＣＰＵ回路部５１０は、糊付け処理及び積載処理を一旦停止した際、成果物積載部５４０に積載された糊付け済み記録紙に対する加圧装置５３０の加圧処理を実行する。
【００３８】
製本装置制御部５１７にて駆動制御を行う際には、ＣＰＵ回路部５１０に各種センサからの検出信号が取り込まれる。この各種センサとしては、反転入口センサ５２７、製本入口センサ５０５、糊付け開始センサ５０６、糊付け停止センサ５０７、製本出口センサ５０８がある。
【００３９】
ＣＰＵ回路部５１０にはドライバ５０９が接続され、ドライバ５０９はＣＰＵ回路部５１０からの信号に基づきモータおよびソレノイドを駆動する。また、ＣＰＵ回路部５１０はクラッチを駆動する。
【００４０】
ここで、上記モータとしては、後述するローラ対５０１、５０２の駆動源である給紙搬送モータＭ１、ローラ対５０３、５０４の駆動源である排紙搬送モータＭ２、ローラ対５２５の駆動源である反転搬送モータＭ３がある。なお、ローラ対５０１、５０２およびローラ対５０３、５０４によって搬送手段が構成されている。
【００４１】
給紙搬送モータＭ１、排紙搬送モータＭ２および反転搬送モータＭ３は、何れもステッピングモータからなり、励磁パルスレートを制御することによって各モータにより駆動するローラ対を等速で回転させたりすることができる。
【００４２】
また、上記ソレノイドとしては、後述する加圧装置５３０の作動用のソレノイド５３１がある。
【００４３】
上記クラッチとしては、クラッチＣＬ１、クラッチＣＬ２、クラッチＣＬ３がある。クラッチＣＬ１は、給紙搬送モータＭ１の駆動をローラ対５０１，５０２に伝達するためのものである。クラッチＣＬ２は、排紙搬送モータＭ２の駆動をローラ対５０３，５０４に伝達するためのものである。クラッチＣＬ３は、反転搬送モータＭ３の駆動をローラ対５２５に伝達するためのものである。
【００４４】
（角部糊付け製本機の構成）
図５は、本実施形態における角部糊付け製本機５００の内部構成を示した断面図である。図５に示すように、角部糊付け製本機５００は、糊付け装置５２０と、成果物積載部５４０と、加圧装置５３０とから構成される。糊付け装置５２０は、製本機内部における記録紙搬送経路のほぼ中央部に配置されている。この糊付け装置５２０は、製本モードとして画像形成装置本体１０から排出された記録紙Ａ、即ちローラ対５０１〜５０４により搬送経路内で搬送される次行紙以降の記録紙の上面の糊付け部に、１枚ずつ糊付け処理するように配置される。
【００４５】
成果物積載部５４０は、記録紙搬送路から記録紙が排出される部位に配置され、糊付けされた記録紙Ａを積載面に積載する積載手段を構成している。加圧装置５３０は、成果物積載部５４０の製本機本体側においてこの積載部５４０を臨むように上方に配置され、積載後に糊付け部を加圧して接着させる。反転入口センサ５２６およびローラ対５２５は、糊付け装置５２０のノズル先端やローラ対５０２、５０３が位置する搬送経路に対して上方に直交する反転経路５２３に配置されている。これら搬送経路と反転経路５２３との交差部に、反転切り替えフラッパ５２４が配置されている。
【００４６】
図６は、本実施形態における一連の製本動作の流れについて説明するフローチャート、図７（ａ）〜（ｃ）は、糊付け装置５２０の糊付け動作の概要を示す図である。
【００４７】
まず、糊付け製本モードが開始され、前述した画像形成プロセス（Ｓ１０１）を経て画像形成装置本体１０から排出された記録紙Ａの紙先端を製本入口センサ５０５が検知すると（Ｓ１０２）、ローラ対５０１、５０２が回転する（Ｓ１０３）。これにより、記録紙Ａは、糊付け装置５２０に向けて搬送される（図７（ａ）参照）。この際、記録紙Ａは、搬送位置基準を糊付け側（手前）にして、搬送される。
【００４８】
この記録紙Ａが１枚目である場合には（Ｓ１０４）、この記録紙Ａは、糊付け装置５２０を単に通過して、糊付けされないまま成果物積載部５４０へ搬送される。
【００４９】
糊付け装置５２０は、糊突出ノズル５２１およびノズルアクチュエータ５２２から構成されており、ノズルアクチュエータ５２２の作動で糊突出ノズル５２１から糊が突出される。
【００５０】
２枚目以降は、糊付け開始センサ５０６が記録紙Ａの先端を検知すると（Ｓ１０５）、糊突出ノズル５２１はノズルアクチュエータ５２２の作動で糊を突出させ、記録紙Ａの角部に糊付けを行う（Ｓ１０６）。この記録紙Ａは、そのままローラ対５０２によって搬送される（図７（ｂ）参照）。そして、糊付け停止センサ５０７が記録紙Ａの先端を検知すると（Ｓ１０７）、ノズルアクチュエータ５２２が作動を停止し、糊突出ノズル５２１からの糊突出が止まる（Ｓ１０８）（図７（ｃ）参照）。
【００５１】
反転入口センサ５２６が記録紙Ａの後端を検知すると（Ｓ１０９）、反転切り替えフラッパ５２４が図５の実線位置から時計回り方向に切り替えられて（Ｓ１１０）、ローラ対５２５が逆転作動する（Ｓ１１１）。これにより、記録紙Ａは図５の下方へ搬送され、ローラ対５０４によって成果物積載部５４０へ向けて搬送される。成果物積載部５４０には、先に送られた記録紙束Ｂが積載されており、記録紙Ａはこれらの最上部に積載される。このように、記録紙Ａの糊付け面は、反転経路５２３で反転されることで、成果物積載部５４０に積載されている先頭紙に向く側（つまり、下側）となっている。
【００５２】
そして、製本出口センサ５０８が記録紙Ａの後端を検知すると（Ｓ１１２）、反転切り替えフラッパ５２４が元の位置（実線位置）へ切り替えられる（Ｓ１１３）。そして、積載された記録紙Ａは、不図示の糊付け部を加圧装置５３０によって加圧される（Ｓ１１４）。このように加圧することによって、糊付け部の接着が確実に行われる。ここで、加圧装置５３０は、成果物積載部５４０に記録紙Ａが積載される毎に、或いは、複数枚が積載される度に一回加圧するように作動制御される。
【００５３】
以上の流れが製本モードにおける一連の製本動作であるが、本実施形態における角部糊付け製本機５００は、製本モードの他に、製本を行わずに通常の排出モードを選択的に実行することも可能である。この通常の排出モード時には、画像形成装置本体１０から排出された記録紙は、ローラ対５０１〜５０４によって単に搬送されて成果物積載部５４０上に排出される。
【００５４】
（積載部における加圧手段）
図８（ａ）、（ｂ）は、加圧装置５３０の動作を説明する側面図である。成果物積載部５４０に積載された記録紙束Ｂは、製本装置制御部５１７により制御されるソレノイド５３１の作動で、成果物積載部５４０に記録紙が１枚積載されるごとに又は予め設定された回数（即ち、複数枚）ごとに加圧装置５３０によって加圧される。これは、糊付け後に直ちに加圧すれば、糊の乾燥前に極めて有効に接着できるからであり、また、始めの方に積載された記録紙と後の方で積載された記録紙とで、糊の乾き具合による接着力の差が生じる現象を防ぎ、接着性を安定させる効果もある。
【００５５】
図８に示すように、加圧装置５３０は、ソレノイド５３１、加圧バネ５３２および加圧部５３３から構成されている。成果物積載部５４０に記録紙（記録紙束Ｂ）が積載されると、ソレノイド５３１の作動で記録紙の角部の糊付け部に対して加圧部５３３が降下し、この糊付け部５１６が加圧バネ５３２によって加圧される（図８（ａ）参照）。この加圧が所定時間経過すると、ソレノイド５３１が逆方向に作動し、加圧部５３３が上昇して加圧が解除される（図８（ｂ）参照）。
【００５６】
図９は製本モード時に、記録紙切れや糊切れ、紙詰まりなど、又はトナー切れ、画像調整、定着調温などの作動中断事象が発生して製本動作が中断される際の作動を示すフローチャートである。
【００５７】
まず、糊付け製本がスタートすると、ステップＳ２０１にて、画像形成装置本体１０側で記録紙Ａに対し画像を形成する画像形成プロセスを実行した後、この装置本体１０から排出された記録紙Ａに対して糊付けする糊付けプロセスを実行する（Ｓ２０２）。ついで、糊付けされた記録紙Ａを、反転経路５２３で反転してから成果物積載部５４０に排出・積載する積載プロセスを実行する（Ｓ２０３）。
【００５８】
この後、製本装置制御部５１７のＣＰＵ回路部５１０は、画像形成装置本体１０或いは角部糊付け製本機５００において、作動中断事象の発生により待機モードに入ったか否かを判定する（Ｓ２０４）。その結果、待機モードに入っていなければ、成果物積載部５４０への積載が終了したか否かを判定し（Ｓ２０５）、終了していなければステップＳ２０３からの処理を繰り返す。そして、ステップＳ２０５において積載が終了したと判定した場合、加圧装置５３０を作動させて、成果物積載部５４０上の記録紙束Ｂに対する加圧プロセスを実行し（Ｓ２０６）、糊付け製本を終了する。
【００５９】
ＣＰＵ回路部５１０は、待機モードに入っていると判定すると（Ｓ２０４）、画像形成装置本体１０での画像形成プロセスを停止するように信号を出力し（Ｓ２０７）、製本機５００での糊付けプロセス及び積載プロセスを停止する（Ｓ２０８、Ｓ２０９）。引き続き、ＣＰＵ回路部５１０は、ステップＳ２１０において、成果物積載部５４０に積載された糊付け済み記録紙（記録紙束Ｂ）に対する加圧装置５３０の加圧処理を実行する。更に、ＣＰＵ回路部５１０は、待機モードから復帰（即ち、作動中断事象が解消）したか否かを判定し（Ｓ２１１）、復帰しなければステップＳ２０７〜Ｓ２１０を繰り返し、復帰したと判定した時点で加圧プロセスを停止し（Ｓ２１２）、ステップＳ２０１に進む。
【００６０】
以上のように本実施形態では、成果物積載部５４０に記録紙束Ｂが積載されているが、まだ一冊分は積載されていない段階で作動中断事象が発生した際、ＣＰＵ回路部５１０は、画像形成プロセス、糊付けプロセス及び積載プロセスという一連の動作を停止する。そしてＣＰＵ回路部５１０は、加圧装置５３０により記録紙束Ｂへの加圧処理を実行し、糊やシートが補給されるなどで通常状態に復帰したと判断すると、加圧装置５３０による加圧を解除する。その後、画像形成装置本体１０、糊付け装置５２０、成果物積載部５４０による一連の作動が再開される。このように、糊塗布後の記録紙が成果物積載部５４０に積載された状態で待機状態に移行した場合であっても、その都度加圧を行うので、待機中に加圧されないまま放置されて糊が乾燥することがない。これにより、接着力を常に安定させ、製本後の記録紙束の接着力の信頼性を向上させることができる。
【００６１】
なお、本実施形態では、糊突出ノズル５２１を用いて記録紙Ａに糊を突出させる糊付け装置５２０を例に挙げたが、これに限定されることはない。つまり、糊付け装置として、糊収納桶に糊付けローラを設置し、回転する糊付けローラの外周に糊を付着させ、糊付けローラの外周を記録紙に接触させて接触転写する装置や、スタンプの要領で記録紙に糊を転写させる装置などを用いることもできる。
【図面の簡単な説明】
【００６２】
【図１】本発明の実施形態に係る角部糊付け製本機が接続された画像形成装置本体の主要部の縦断面構造を示す全体構成図。
【図２】図１の画像形成システム全体の制御を司るコントローラの構成を示すブロック図。
【図３】図１の画像形成装置本体における操作表示部を示す図。
【図４】図２に示した製本装置制御部の構成を示すブロック図。
【図５】本実施形態における角部糊付け製本機の内部構成を示した断面図。
【図６】一連の製本動作の流れを示すフローチャート。
【図７】本実施形態における角部糊付け製本機による糊付け動作を段階的に説明するための断面図。
【図８】加圧装置の動作を説明する側面図。
【図９】作動中断事象の発生により糊付け製本を中断して加圧する際の一連の動作の流れを示すフローチャート。
【符号の説明】
【００６３】
１０    画像形成装置本体
５００    製本装置（角部糊付け製本機）
５０１，５０２，５０３，５０４    搬送手段（ローラ対）
５１０    制御手段（ＣＰＵ回路部）
５２０    糊付け手段（糊付け装置）
５３０    加圧手段（加圧装置）
５４０    積載手段（成果物積載部）
Ａ    シート（記録紙）
Ｂ    シート（記録紙束）
【図１】
2008087314.tif 000003
【図２】
2008087314.tif 000004
【図３】
2008087314.tif 000005
【図４】
2008087314.tif 000006
【図５】
2008087314.tif 000007
【図６】
2008087314.tif 000008
【図７】
2008087314.tif 000009
【図８】
2008087314.tif 000010
【図９】
2008087314.tif 000011